(57)【要約】【課題】一枚の展開シートのみで手間を掛けずに作成可能である書類ファイルを提供する。【解決手段】書類ファイルの第１のシート７、書類ファイルの第２のシート８および書類ファイルの内側にたたまれる内側シート９が折曲線を介して連設されるとともに、各シート７，８，９の下縁にホルダー形成用シート１３，１４，１５が連設されている合成樹脂製の一枚の展開シートにより形成されてなる書類ファイルであって、第１のシート７にホルダー形成用シート１３を折り曲げて接着により書類収納ポケットが形成された第１のホルダー１と、第２のシート８にホルダー形成用シート１４を折り曲げて重ねて接着により書類収納ポケットが形成された第２のホルダー２が折曲線を介して見開き可能に連設され、内側シート９にホルダー形成用シート１５を重ねて書類収納ポケットが形成された内側ホルダー３が裏側ホルダー２に重ねられて固定されている書類ファイル。【選択図】図４
0003167031.tif 000002
【実用新案登録請求の範囲】
【請求項１】
書類を収納するポケットを有する書類ファイルを展開した、書類ファイルの第１のシート（７）、書類ファイル第２のシート（８）および書類ファイルの内側にたたまれる内側シート（９）が折曲線を介して折り畳み可能に順に一列に連設されるとともに、前記各シート（７，８，９）のそれぞれの下縁に折曲線を介して前記各シート側に折り畳み可能なポケット形成用シート（１３，１４，１５）がそれぞれ連設されている合成樹脂製の一枚の展開シート（６）により形成されてなる書類ファイルにおいて、
前記第１のシート（７）に連設されているポケット形成用シート（１３）を前記第１のシート（７）に折り畳んで重ねて接着により書類収納ポケット（３ａ）が形成された第１のホルダー（１）と、
前記第２のシート（８）に連設されている前記ポケット形成用シート（１４）を前記第２のシート（８）に折り畳んで重ねて接着により書類収納ポケット（４）が形成された第２のホルダー（２）が折曲線を介して見開き可能に連設され、
前記内側シート（９）に連設されている前記ポケット形成用シート（１５）を前記内側シート（９）に重ねて書類収納ポケットが形成された内側ホルダー（３）が前記第２のホルダー（２）のポケット形成用シート（１４）に重ねられて下縁が固定されて書類収納ポケット（５）が形成されていることを特徴とする書類ファイル。
【請求項２】
前記第１のホルダー（１）のポケット形成用シート（１３）に形成された見出し保持片（１９）と内側ホルダー（３）の内側シート（９）に形成された見出し保持片（１９）とが折曲線１０の位置で対向して配置されていることを特徴とする請求項１に記載の書類ファイル。
【請求項３】
第１のホルダー（１）の書類収納ポケット（３ａ）の上部および第２のホルダー（２）の書類収納ポケット（４）の上部に、収納された書類を押さえる押さえ片（１８）が形成されていることを特徴とする請求項１又は２に記載の書類ファイル。
【請求項４】
内側ホルダー（３）の内側シート（９）に孔あきの書類を綴じる綴じ具が取り付けられる綴じ具取付孔（１７）が形成されていることを特徴とする請求項１、２又は３に記載の書類ファイル。
【考案の詳細な説明】
【技術分野】
【０００１】
本考案は、関連する複数の書類を別々のポケットに収納して整理、保管することができる書類ファイルに関する。
【背景技術】
【０００２】
複数の関連する書類は、一つのファイルにまとめて保管すると便利である。例えば、介護保険関連書類では、被保険者台帳、申請書、調査票、主治医意見書、調査結果書類、再審査書類、ランク見直し書類等の書類が申請受付から発生していく。これらの複数の関連書類をファイルする場合、ポケットを備えたファイルに書類を収納し、ファイルに綴り孔が形成されているものは、バインダーの綴り具に綴じ、また、綴り孔が形成されていないものは、ファイルをボックス等に収納して管理することが考えられる。関連書類が増加していく場合、一つのファイルに収まらない場合は、複数のファイルを用意して収納し、バインダーやボックスに収納して保管する。
【０００３】
しかしながら、これらの関連書類を複数のファイルに分けて収納して保管する場合、整理を怠ると、関連書類の保管や取り出しに手間が掛かるという欠点がある。
【０００４】
そこで、関連書類を一つのファイルに収めてファイリングすることができるとともに、関連書類を確実に且つ効率的に保管・管理できる、という書類ファイルが知られている（特許文献１参照）。
【０００５】
前記特許文献１に記載された書類ファイルは、図９に示すように、合成樹脂製シートからなり、ポケット３２を有する第１のファイル３１と、同じくポケット３４を有する第２のファイル３３が見開き可能に連結されている。第１のファイル３１には、穴あきの書類を綴じる綴じ具３５が取り付け可能となっている。第２のファイル３３は、ポケット３４が複数の仕切シート３６で仕切られている。第２のファイル３３のポケット３４の上辺、及び仕切シート３６の上辺には、それぞれ見出し片が形成されている。この書類ファイルでは、ポケットが仕切シート３６で複数に仕切られているため、複数の関連書類を複数のポケットに分けて一つのファイルに保管・管理を確実に且つ効率的に行うことができる、というものである。
【先行技術文献】
【特許文献】
【０００６】
【特許文献１】特許第３５１６３８５号公報
【考案の概要】
【考案が解決しようとする課題】
【０００７】
前記特許文献１に記載された書類ファイルは、複数のポケットを形成するのに、書類ファイルを展開した展開シートだけでなく、別途、仕切シートを必要とするだけでなく、仕切シートを展開シートに係止するための加工が必要となるため、製造工程が複雑となって手間がかかっていた。
【０００８】
そこで、本考案は、１枚の展開シートのみで手間を掛けずに容易に複数のポケットの作成が可能である書類ファイルを提供するものである。
【課題を解決するための手段】
【０００９】
本考案の書類ファイルは、書類を収納するポケットを有する書類ファイルを展開した、書類ファイルの第１のシート、書類ファイルの第２のシートおよび書類ファイルの内側にたたまれる内側シートが折曲線を介して折り畳み可能に順に一列に連設されるとともに、前記各シートのそれぞれの下縁に折曲線を介して前記各シート側に折り畳み可能なポケット形成用シートがそれぞれ連設されている合成樹脂製の一枚の展開シートにより形成されてなる書類ファイルにおいて、前記第１のシートに連設されているポケット形成用シートを前記第１のシートに折り畳んで重ねて接着により書類収納ポケットが形成された第１のホルダーと、前記第２のシートに連設されているポケット形成用シートを前記第２のシートに折り畳んで重ねて接着により書類収納ポケットが形成された第２のホルダーとが折曲線を介して見開き可能に連設され、前記内側シートに連設されているポケット形成用シートを前記内側シートに重ねて書類収納ポケットが形成された内側ホルダーが第２のホルダーに重ねられて下縁が固定されていることを特徴とする。
【００１０】
前記構成において、第１のホルダーのポケット形成用シートに形成された見出し保持片と内側ホルダーの内側シートに形成された見出し保持片とが背表紙で対向して配置され、また、第１のホルダーの書類収納ポケットの上部および第２のホルダーの書類収納ポケットの上部に、収納された書類を押さえる押さえ片が形成され、さらに内側ホルダーの内側シートに孔あきの書類を綴じる綴じ具が取り付けられていることを特徴とする。
【考案の効果】
【００１１】
本考案の書類ファイルは、別途仕切り片などを用意して係止する比喩等はなく、書類ファイルを展開した一枚の展開シートのみを折りたたみ、接着することによりホルダーおよびポケットが作成できるので、製造に手間がかからない。
【００１２】
本考案の書類ファイルは、書類の出し入れ口が見開き状態で背表紙側に形成されておりまた、押さえ辺を設けることにより、書類ファイルから収納している書類が脱落しにくい。
【００１３】
本考案の書類ファイルでは、ホルダーおよびポケットが見開きで綴じられるので、関連書類をまとめて一つのファイルにファイリングすることにより関連書類の保管・管理を確実に且つ効率的に行うことができる。
【図面の簡単な説明】
【００１４】
【図１】本考案の実施例１の書類ファイルを開いた状態を示す斜視図である。
【図２】図１のＡ−Ａ線の断面図である。
【図３】本考案の実施例１の書類ファイルを展開した展開図である。
【図４】本考案の実施例１の書類ファイルの作成手順の説明図である。
【図５】本考案の実施例２の書類ファイルを開いた状態を示す斜視図である。
【図６】（ａ）は図５のＢ−Ｂ線の断面図、（ｃ）はＣ−Ｃ線の断面図である。
【図７】本考案の実施例２の書類ファイルを展開した展開図である。
【図８】本考案の実施例２の書類ファイルの作成手順の説明図である。
【図９】従来の書類ファイルの一例を示す断面図である。
【考案を実施するための形態】
【００１５】
本考案の実施例について図面を参照しながら説明する。
【実施例１】
【００１６】
図１、図２において、本実施例の書類ファイルは、第１のホルダー１と第２のホルダー２が見開き可能に連結されている。第１のホルダー１は側縁を書類の出し入れ可能に開放した書類収納ポケット３ａで形成され、第２のホルダー２は側縁を書類の出し入れ可能に開放した書類収納ポケット４およびシートで仕切られた書類収納ポケット５が形成されている。
【００１７】
本実施例の書類ファイルは、書類ファイルを展開した図３に示す一枚の展開シート６を折りたたみ、接着することで書類収納ポケットを形成する。展開シート６は、ポリプロピレンやポリエチレンなどの合成樹脂シートよりなる。合成樹脂製シートは収納した書類が外から透視し易くするために透明のシートが好ましい。
【００１８】
図３おいて、展開シート６は、上半分に書類ファイルの表表紙となる第１のシート７、書類ファイルの裏表紙になる第２のシート８、書類ファイルの内側にたたまれる内側シート９が折曲線１０，１１を介して順に一列に連設される。第１のシート７および第２のシート８には折曲線１２を介してポケット形成用シート１３，１４、内側シート９には折曲線１２を介してポケット形成用シート１５がそれぞれ独立して連設されている。
【００１９】
各折曲線１０，１１は、間隔をおいて複数形成して収納する書類の厚さに応じて幅が変えられるよう間隔をおいて複数設けることができる。
【００２０】
第１のシート７の上縁および側縁には、第１のシート７の上に折り曲げて重ねたポケット形成用シート１３の上縁および側縁を接着するための接着片１６がそれぞれ形成され、接着により書類収納ポケット３ａが形成される。
【００２１】
第２のシート８の上縁には、第２のシート８の上に折り曲げて重ねたポケット形成用シート１４の上縁を接着するための接着片１６が形成され、この接着片１６とポケット形成用シート１４を溶着して書類収納ポケット４が形成される。
【００２２】
また、第２のシート８に折り線１２を介して接続されているポケット形成用シート１４側には、切り起こしにより形成される接着片１６が設けられ、この接着片１６は第２のシート８側に折りたたまれる内側シート９の下辺に溶着される。
【００２３】
内側シート９には、綴じ孔を有する書類を綴じるために内側シート９に綴じ具を接着剤や綴じ具取付孔１７を利用して取り付けてもよい。
【００２４】
次に、本実施例の書類ファイルの作成手順について説明する（図４参照）。
（１）ポケット形成用シート１３を折り線１２で第１のシート７側に折り曲げて重ね、第１のシート７の上縁および側縁の接着片１６を折り曲げてポケット形成用シート１３の上縁と側縁に重ねて溶着して書類収納ポケット３ａを形成して第１のホルダー１を形成する。
（２）ポケット形成用シート１４を折り線１２で第２のシート８側に折り曲げて重ね、第２のシート８の上縁の接着片１６を折り曲げてポケット形成用シート１４の上縁に重ねて溶着して書類収納ポケット４を形成して第２のホルダー２を形成する。こうして第２のホルダー２が折曲線を介して第１のホルダー１と見開き可能に形成される。
（３）内側シート９の上にポケット形成用シート１５を重ねて書類収納ポケット５が形成された内側ホルダーを形成する。
（４）内側ホルダーを第２のホルダー２側に折り曲げて重ね、第２のシート８の下縁の接着片１６を折り曲げて内側ホルダーの内側シート９に接着する。
以上の手順により、本考案の書類ファイルが完成する。
【実施例２】
【００２５】
本実施例２の書類ファイルを示す図５〜図８において、前記実施例１と同一の部材には同一符号を付してある。
【００２６】
図５〜図８において、本実施例２の書類ファイルは、第１のホルダー１と第２のホルダー２が見開き可能に連結されている。第１のホルダー１は内側の側縁を書類の出し入れ可能に開放した書類収納ポケット３ａで形成され、第２のホルダー２は側縁を書類の出し入れ可能に開放したシートで仕切られた書類収納ポケット４が形成されている。
【００２７】
本実施例２の書類ファイルは、書類ファイルを展開した図７に示す一枚の展開シート６を折りたたみ、接着することで書類収納ポケットを形成する。展開シート６は、ポリプロピレンやポリエチレンなどの合成樹脂シートよりなる。合成樹脂製シートは収納した書類が外から透視し易くするために透明のシートが好ましい。
【００２８】
図７おいて、展開シート６は、上半分に書類ファイルの表側になる第１のシート７、書類ファイルの裏側になる第２のシート８、書類ファイルの内側にたたまれる内側シート９が折曲線１０，１１を介して順に一列に連設される。第１のシート７および第２のシート８には折曲線１２を介してポケット形成用シート１３，１４、内側シート９には折曲線１２を介してポケット形成用シート１５がそれぞれ独立して連設されている。
【００２９】
第１のシート７と第２のシート８、第２のシート８と内側シート９の各折曲線１０，１１は、間隔をおいて複数形成して収納する書類の厚さに応じて幅が変えられるように設ける。
【００３０】
第１のシート７の上縁には、内側に折り曲げて収納された書類の飛び出しを押さえる押さえ片１８が形成されている。第１のシート７の下縁に接続されているポケット形成用シート１３の背表紙側には見出し保持片１９が形成されている。第２のシート８の上縁にも、内側に折り曲げて収納された書類の飛び出しを押さえる押さえ片１８が形成されている。
【００３１】
また、第２のシート８に折り線１２を介して接続されているポケット形成用シート側には、切り起こしにより形成される接着片１６が設けられ、この接着片１６は第２のシート８側に折りたたまれた内側シート９に溶着される。
【００３２】
内側シート９の側縁には、第１のシート７のポケット形成用シート１３に形成されている見出し保持片１９と対向して配置される見出し保持片１９が形成される。内側シート９の見出し保持片１９の内側シート９側は第２のシート８に溶着され、ポケット形成用シート１３の見出し保持片１９のポケット形成用シート１３側は第１のシート７に溶着されている。対向する見出し保持片１９開いて見出しを保持して背表紙に見出しが表示されるようにする。
【００３３】
本実施例の書類ファイルの作成手順は次のとおりである。
（１）第１のシート７の押さえ片１８を内側に折り曲げ、その上にポケット形成用シート１３を重ね、第１のシート７の側縁とポケット形成用シート１３の側縁を溶着して第１のホルダーを形成する。第１のホルダーは背表紙側に出し入れ口が形成され、収納される書類は押さえ片で押さえられので、書類の飛び出しが防止される。
（２）第２のシート８の上にポケット形成用シート１４を重ねる。ポケット形成用シート１４は第２のシート８と折り曲げた内側シート９のポケット形成用シート１５との間に挟まれて内側ホルダー３が形成されるので、溶着する必要はない。
（３）内側シート９の上にポケット形成用シート１５を重ねる。
（４）ポケット形成用シート１５を重ねた内側シート９を第２のシート８側に折り曲げて第２のシートポケット形成用シート１４に重ね、第２のシート８の下縁の接着片１６を折り曲げて内側シート９に接着する。
【００３４】
以上の手順により、本考案の書類ファイルが完成する。溶着により対向して配置された第１のシート７のポケット形成用シート１３の見出し保持片１９と、内側シート９の見出し保持片１９を開いて見出しを入れ、保持して背表紙に見出しが表示される。
【符号の説明】
【００３５】
１：第１のホルダー
２：第２のホルダー
３：内側ホルダー
３ａ：書類収納ポケット
４：書類収納ポケット 
５：書類収納ポケット
６：展開シート 
７：第１のシート
８：第２のシート
９：内側シート
１０：折曲線
１１：折曲線
１２：折曲線
１３：ポケット形成用シート
１４：ポケット形成用シート
１５：ポケット形成用シート
１６：接着片
１７：綴じ具取付孔
１８：押さえ片
１９：見出し保持片
３１：第１のファイル
３２：ポケット
【図１】
0003167031.tif 000003
【図２】
0003167031.tif 000004
【図３】
0003167031.tif 000005
【図４】
0003167031.tif 000006
【図５】
0003167031.tif 000007
【図６】
0003167031.tif 000008
【図７】
0003167031.tif 000009
【図８】
0003167031.tif 000010
【図９】
0003167031.tif 000011